(57)【要約】  第１ネットワークに対して、その第１ネットワークに割り当てられるスペクトルの第１部分を少なくとも１つの第２ネットワークと共有使用するための第１のアクティビティ情報を決定し、そしてそのアクティビティ情報を前記第２ネットワークの少なくとも１つのベースステーションへ送信させることを含む方法が提供される。【選択図】      図５
2017520972.tif 000002
【特許請求の範囲】
【請求項１】
第１ネットワークに対して、その第１ネットワークに割り当てられるスペクトルの第１部分を少なくとも１つの第２ネットワークと共有使用するための第１のアクティビティ情報を決定し；及び
そのアクティビティ情報を前記第２ネットワークの少なくとも１つのベースステーションへ送信させる；
ことを含む方法。
【請求項２】
前記第１ネットワークは、複数の運営者のうちの第１運営者により運営される、請求項１に記載の方法。
【請求項３】
前記少なくとも１つの第２ネットワークは、複数の運営者のうちの第２運営者により運営される、請求項２に記載の方法。
【請求項４】
前記第１部分は、運営者間共有部分である、請求項１から３のいずれかに記載の方法。
【請求項５】
前記第１ネットワークに割り当てられるスペクトルは、第２部分を含む、請求項１から４のいずれかに記載の方法。
【請求項６】
前記第２部分は、運営者内共有部分である、請求項５に記載の方法。
【請求項７】
前記少なくとも１つの第２ネットワークとの前記運営者内部分の共有使用を第２ネットワークからの要求に基づいて生じさせることを更に含む、請求項６に記載の方法。
【請求項８】
前記割り当てられるスペクトルは、共一次スペクトル共有に使用される、請求項１から７のいずれかに記載の方法。
【請求項９】
前記アクティビティ情報の決定は、１組のアクティビティ指示子からアクティビティ指示子を選択することを含む、請求項１から８のいずれかに記載の方法。
【請求項１０】
セル密度に基づいてアクティビティ情報を決定することを更に含む、請求項１から９のいずれかに記載の方法。
【請求項１１】
セルの相対的トラフィック量及びセルの干渉レベルの少なくとも一方に基づいてアクティビティ情報を決定することを含む、請求項１から９のいずれか１つに記載の方法。
【請求項１２】
前記アクティビティ情報は、静的である、請求項１から１１のいずれかに記載の方法。
【請求項１３】
前記方法は、スペクトルコントローラにおいて実施される、請求項１２に記載の方法。
【請求項１４】
前記アクティビティ情報は、動的である、請求項１から１１のいずれか１つに記載の方法。
【請求項１５】
前記方法は、ベースステーションにおいて実施される、請求項１４に記載の方法。
【請求項１６】
前記第１ネットワークに割り当てられるスペクトルは、第３部分を含む、請求項１から１５のいずれかに記載の方法。
【請求項１７】
前記第３部分は、第１部分と第２部分との間に存在して、セルが運営者内共有最適化及び運営者間共有最適化の両方について同様のレベルをもつことができるようにする、請求項１６に記載の方法。
【請求項１８】
第１ネットワークに関連した第１のアクティビティ情報を受信し；及び
前記第１ネットワークと少なくとも１つの第２ネットワークとの間に共有されるスペクトルの第１部分に対して、前記アクティビティ情報に基づき前記第２ネットワークが前記スペクトルの前記共有を変化させるべきかどうか決定する；
ことを含む方法。
【請求項１９】
第１ネットワークに関連した第２のアクティビティ情報を受信し；
前記第２のアクティビティ情報を前記第１のアクティビティ情報と比較し；及び
前記第１ネットワークと少なくとも１つの第２ネットワークとの間に共有されるスペクトルの第１部分に対して、前記比較に基づいて前記第２ネットワークが前記スペクトルの前記共有を変化させるべきかどうか決定する；
ことを含む、請求項１８に記載の方法。
【請求項２０】
前記スペクトルの前記共有の変化のための要求を前記第１ネットワークに送信させることを更に含む、請求項１８又は１９に記載の方法。
【請求項２１】
前記スペクトルの第１部分は、運営者間共有部分の少なくとも一部分である、請求項１８から２０のいずれかに記載の方法。
【請求項２２】
前記スペクトルの第１部分は、運営者内共有部分の少なくとも一部分である、請求項１８から２０のいずれかに記載の方法。
【請求項２３】
スペクトルコントローラ又は第１ネットワークのベースステーションからアクティビティ情報を受信することを更に含む、請求項１８から２０のいずれかに記載の方法。
【請求項２４】
アクティビティ情報は、静的又は動的である、請求項１８から２３のいずれかに記載の方法。
【請求項２５】
第１ネットワークと第２ネットワークとの間に共有されるスペクトルの第２部分の選択を要求することを更に含む、請求項１８から２４のいずれかに記載の方法。
【請求項２６】
前記スペクトルの第２部分を使用して停止する要求を受信することを更に含む、請求項２５に記載の方法。
【請求項２７】
前記第２部分は、運営者内共有部分の少なくとも一部分を含む、請求項２５又は２６に記載の方法。
【請求項２８】
前記アクティビティ情報は、セル密度に依存する請求項１８から２７のいずれか１つに記載の方法。
【請求項２９】
前記アクティビティ情報は、セルの相対的トラフィック量及びセルの干渉レベルの少なくとも一方に依存する、請求項１８から２７のいずれか１つに記載の方法。
【請求項３０】
請求項１から１７又は１８から２９のいずれか１つに記載の方法を実施するための手段を備えた装置。
【請求項３１】
コンピュータで実行されたときに請求項１から１７又は１８から２９のいずれか１つのステップを遂行するためのソフトウェアコード部分を備えたコンピュータのためのコンピュータプログラム製品。
【請求項３２】
少なくとも１つのプロセッサ、及びコンピュータプログラムコードを含む少なくとも１つのメモリを備えた装置において、その少なくとも１つのメモリ及びコンピュータプログラムコードは、少なくとも１つのプロセッサとで、装置が、少なくとも、
第１ネットワークに対して、その第１ネットワークに割り当てられるスペクトルの第１部分を少なくとも１つの第２ネットワークと共有使用するための第１のアクティビティ情報を決定し；及び
前記アクティビティ情報を、複数の運営者の１つにより運営される前記第２ネットワークの少なくとも１つのベースステーションへ送信させる；
ように構成された装置。
【請求項３３】
前記第１ネットワークは、複数の運営者のうちの第１運営者により運営される、請求項３２に記載の装置。
【請求項３４】
前記少なくとも１つの第２ネットワークは、複数の運営者のうちの第２運営者により運営される、請求項３３に記載の装置。
【請求項３５】
前記第１部分は、運営者間共有部分である、請求項３２から３４のいずれかに記載の装置。
【請求項３６】
前記第１ネットワークに割り当てられるスペクトルは、第２部分を含む、請求項３２から３５のいずれかに記載の装置。
【請求項３７】
前記第２部分は、運営者内共有部分である、請求項３６に記載の装置。
【請求項３８】
少なくとも１つの第２ネットワークとの運営者内部分の共有使用を第２ネットワークからの要求に基づいて生じさせることを更に含む、請求項３７に記載の装置。
【請求項３９】
前記割り当てられるスペクトルは、共一次スペクトル共有に使用される、請求項３２から３８のいずれかに記載の装置。
【請求項４０】
前記アクティビティ情報の決定は、１組のアクティビティ指示子からアクティビティ指示子を選択することを含む、請求項３２から３９のいずれかに記載の装置。
【請求項４１】
セル密度に基づいてアクティビティ情報を決定することを更に含む、請求項３２から４０のいずれかに記載の装置。
【請求項４２】
セルの相対的トラフィック量及びセルの干渉レベルの少なくとも一方に基づいてアクティビティ情報を決定することを更に含む、請求項３２から４１のいずれかに記載の装置。
【請求項４３】
前記アクティビティ情報は静的である、請求項３２から４２のいずれかに記載の装置。
【請求項４４】
前記アクティビティ情報は動的である、請求項３２から４３のいずれかに記載の装置。
【請求項４５】
前記第１ネットワークに割り当てられるスペクトルは、第３部分を含む、請求項３２から４４のいずれかに記載の装置。
【請求項４６】
前記第３部分は、第１部分と第２部分との間に存在して、セルが運営者内共有最適化及び運営者間共有最適化の両方について同様のレベルをもつことができるようにする、請求項４５に記載の装置。
【請求項４７】
少なくとも１つのプロセッサ、及びコンピュータプログラムコードを含む少なくとも１つのメモリを備えた装置において、その少なくとも１つのメモリ及びコンピュータプログラムコードは、少なくとも１つのプロセッサとで、装置が、少なくとも、
第１ネットワークに関連した第１のアクティビティ情報を受信し；及び
前記第１ネットワークと少なくとも１つの第２ネットワークとの間に共有されるスペクトルの第１部分に対して、前記アクティビティ情報に基づいて前記第２ネットワークが前記スペクトルの前記共有を変化させるべきかどうか決定する；
ようにさせるよう構成された装置。
【請求項４８】
第１ネットワークに関連した第２のアクティビティ情報を受信し；
その第２のアクティビティ情報を第１のアクティビティ情報と比較し；及び
前記第１ネットワークと少なくとも１つの第２ネットワークとの間に共有されるスペクトルの第１部分に対して、前記比較に基づいて前記第２ネットワークが前記スペクトルの前記共有を変化させるべきかどうか決定する；
ことを更に含む、請求項４７に記載の装置。
【請求項４９】
前記スペクトルの前記共有の変化のための要求を第１ネットワークに送信させることを更に含む、請求項４７又は４８に記載の装置。
【請求項５０】
前記スペクトルの第１部分は、運営者間共有部分の少なくとも一部分である、請求項４７から４９のいずれか１つに記載の装置。
【請求項５１】
前記スペクトルの第１部分は、運営者内共有部分の少なくとも一部分である、請求項４７から５０のいずれか１つに記載の装置。
【請求項５２】
スペクトルコントローラ又は第１ネットワークのベースステーションからアクティビティ情報を受信することを更に含む、請求項４７から５１のいずれか１つに記載の装置。
【請求項５３】
アクティビティ情報は、静的又は動的である、請求項４７から５２のいずれかに記載の装置。
【請求項５４】
第１ネットワークと第２ネットワークとの間に共有されるスペクトルの第２部分の選択を要求することを更に含む、請求項４７から５３のいずれか１つに記載の装置。
【請求項５５】
スペクトルの第２部分を使用して停止する要求を受信することを更に含む、請求項５４に記載の装置。
【請求項５６】
前記第２部分は、運営者内共有部分の少なくとも一部分を含む、請求項５４又は５５に記載の装置。
【請求項５７】
前記アクティビティ情報は、セル密度に依存する、請求項４７から５６のいずれか１つに記載の装置。
【請求項５８】
前記アクティビティ情報は、セルの相対的トラフィック量及びセルの干渉レベルの少なくとも一方に依存する、請求項４７から５７のいずれか１つに記載の装置。
【請求項５９】
コンピュータ読み取り可能なストレージ媒体で実施されるコンピュータプログラムにおいて、
第１ネットワークに対して、その第１ネットワークに割り当てられるスペクトルの第１部分を少なくとも１つの第２ネットワークと共有使用するための第１のアクティビティ情報を決定し；及び
そのアクティビティ情報を、複数の運営者の１つにより運営される前記第２ネットワークの少なくとも１つのベースステーションへ送信させる；
ことを含むプロセスを実行するようにプロセスを制御するためのプログラムコードを備えたコンピュータプログラム。
【請求項６０】
コンピュータ読み取り可能なストレージ媒体で実施されるコンピュータプログラムにおいて、
第１ネットワークに関連した第１のアクティビティ情報を受信し；及び
前記第１ネットワークと少なくとも１つの第２ネットワークとの間に共有されるスペクトルの第１部分に対して、前記アクティビティ情報に基づいて前記第２ネットワークが前記スペクトルの前記共有を変化させるべきかどうか決定する；
ことを含むプロセスを実行するようにプロセスを制御するためのプログラムコードを備えたコンピュータプログラム。
【発明の詳細な説明】
【技術分野】
【０００１】
本発明は、方法、装置及びシステムに関するものであって、より詳細には、共一次スペクトル共有に関するが、これに限定されない。
【背景技術】
【０００２】
通信システムとは、通信経路に含まれる種々のエンティティ間に搬送波を与えることによりユーザターミナル、ベースステーション、及び／又は他のノードのような２つ以上のエンティティ間で通信セッションを実行できるファシリティと考えられる。通信システムは、例えば、通信ネットワーク及び１つ以上の適合通信装置により設けることができる。通信は、例えば、音声、電子メール（ｅ−メール）、テキストメッセージ、マルチメディア及び／又はコンテンツデータ、等の通信を搬送するためのデータの通信である。提供されるサービスの非限定例は、二方向又は多方向コール、データ通信又はマルチメディアサービス、及びインターネットのようなデータネットワークシステムへのアクセスを含む。
【０００３】
ワイヤレス通信システムでは、少なくとも２つのステーション間の通信の少なくとも一部分がワイヤレスリンクを経て行われる。ワイヤレスシステムは、例えば、公衆地上移動ネットワーク（ＰＬＭＮ）、衛星ベースの通信システム及び異なるワイヤレスローカルネットワーク、例えば、ワイヤレスローカルエリアネットワーク（ＷＬＡＮ）を含む。ワイヤレスシステムは、典型的に、セルに分割され、それ故、セルラーシステムとしばしば称される。
【０００４】
ユーザは、適当な通信装置又はターミナルにより通信システムにアクセスする。ユーザの通信装置は、ユーザ装置（ＵＥ）としばしば称される。通信装置には、通信を可能にし、例えば、通信ネットワークへのアクセス、又は他のユーザとの直接的通信を可能にするための適当な信号受信及び送信装置が設けられる。通信装置は、ステーション、例えば、セルのベースステーションにより送られる搬送波にアクセスし、そしてその搬送波で通信を送信及び／又は受信する。
【発明の概要】
【発明が解決しようとする課題】
【０００５】
通信システム及びそれに関連した装置は、典型的に、システムに関連した種々のエンティティが何を行うことが許され且つそれをどのように行うべきか規定する所与の規格又は仕様書に従って動作する。接続に使用すべき通信プロトコル及び／又はパラメータも典型的に定義される。容量の需要が高まることに関連した問題を解消するための試みは、例えば、ユニバーサルモバイルテレコミュニケーションズシステム（ＵＭＴＳ）無線アクセステクノロジーの長期進化（ＬＴＥ）として知られているアーキテクチャーである。ＬＴＥは、第３世代パートナーシッププロジェクト（３ＧＰＰ）によって規格化されている。３ＧＰＰ  ＬＴＥ仕様書の種々の開発段階は、リリースと称される。規格化の目的は、とりわけ、レイテンシーが低く、ユーザデータレートが高く、システム容量及びカバレージが改善され、且つ運営者のコストが低い通信システムを達成することである。
【課題を解決するための手段】
【０００６】
第１の観点において、第１ネットワークに対して、その第１ネットワークに割り当てられるスペクトルの第１部分を少なくとも１つの第２ネットワークと共有使用するための第１のアクティビティ情報を決定し；及びそのアクティビティ情報を前記第２ネットワークの少なくとも１つのベースステーションへ送信させる；ことを含む方法が提供される。
【０００７】
第１ネットワークは、複数の運営者のうちの第１運営者により運営される。
【０００８】
少なくとも１つの第２ネットワークは、複数の運営者のうちの第２運営者により運営される。
【０００９】
第１部分は、運営者間(inter-operator)共有部分である。
【００１０】
第１ネットワークに割り当てられるスペクトルは、第２部分を含む。
【００１１】
第２部分は、運営者内(intra-operator)共有部分である。
【００１２】
前記方法は、少なくとも１つの第２ネットワークとの運営者内部分の共有使用を第２ネットワークからの要求に基づいて生じさせることを含む。
【００１３】
割り当てられるスペクトルは、共一次(co-primary)スペクトル共有に使用される。
【００１４】
アクティビティ情報の決定は、１組のアクティビティ指示子からアクティビティ指示子を選択することを含む。
【００１５】
前記方法は、セル密度に基づいてアクティビティ情報を決定することを含む。
【００１６】
前記方法は、セルの相対的トラフィック量及びセルの干渉レベルの少なくとも一方に基づいてアクティビティ情報を決定することを含む。
【００１７】
アクティビティ情報は、静的である。
【００１８】
前記方法は、スペクトルコントローラにおいて実施される。
【００１９】
アクティビティ情報は、動的である。
【００２０】
前記方法は、ベースステーションにおいて実施される。
【００２１】
第１ネットワークに割り当てられるスペクトルは、第３部分を含む。
【００２２】
第３部分は、第１部分と第２部分との間に存在する。
【００２３】
第２の観点において、第１ネットワークに関連した第１のアクティビティ情報を受信し；及び前記第１ネットワークと少なくとも１つの第２ネットワークとの間に共有されるスペクトルの第１部分に対して、前記アクティビティ情報に基づいて前記第２ネットワークが前記スペクトルの前記共有を変化させるべきかどうか決定する；ことを含む方法が提供される。
【００２４】
前記方法は、第１ネットワークに関連した第２のアクティビティ情報を受信し；その第２のアクティビティ情報を第１のアクティビティ情報と比較し；及び前記第１ネットワークと少なくとも１つの第２ネットワークとの間に共有されるスペクトルの第１部分に対して、前記比較に基づいて前記第２ネットワークが前記スペクトルの前記共有を変化させるべきかどうか決定する；ことを含む。
【００２５】
前記方法は、前記スペクトルの前記共有の変化のための要求を第１ネットワークに送信させることを含む。
【００２６】
スペクトルの第１部分は、運営者間共有部分の少なくとも一部分である。
【００２７】
スペクトルの第１部分は、運営者内共有部分の少なくとも一部分である。
【００２８】
前記方法は、スペクトルコントローラ又は第１ネットワークのベースステーションからアクティビティ情報を受信することを含む。
【００２９】
アクティビティ情報は、静的又は動的である。
【００３０】
前記方法は、第１ネットワークと第２ネットワークとの間に共有されるスペクトルの第２部分の選択を要求することを含む。
【００３１】
前記方法は、スペクトルの第２部分を使用して停止する要求を受信することを含む。
【００３２】
第２部分は、運営者内共有部分の少なくとも一部分を含む。
【００３３】
アクティビティ情報は、セル密度に依存する。
【００３４】
アクティビティ情報は、セルの相対的トラフィック量及びセルの干渉レベルの少なくとも一方に依存する。
【００３５】
第３の観点において、第１ネットワークに対して、その第１ネットワークに割り当てられるスペクトルの第１部分を少なくとも１つの第２ネットワークと共有使用するための第１のアクティビティ情報を決定し；及びそのアクティビティ情報を前記第２ネットワークの少なくとも１つのベースステーションへ送信させるための手段を備えた装置が提供される。
【００３６】
第１ネットワークは、複数の運営者のうちの第１運営者により運営される。
【００３７】
少なくとも１つの第２ネットワークは、複数の運営者のうちの第２運営者により運営される。
【００３８】
第１部分は、運営者間共有部分である。
【００３９】
第１ネットワークに割り当てられるスペクトルは、第２部分を含む。
【００４０】
第２部分は、運営者内共有部分である。
【００４１】
前記装置は、少なくとも１つの第２ネットワークとの運営者内部分の共有使用を第２ネットワークからの要求に基づいて生じさせる手段を備えている。
【００４２】
割り当てられるスペクトルは、共一次スペクトル共有に使用される。
【００４３】
アクティビティ情報の決定は、１組のアクティビティ指示子からアクティビティ指示子を選択することを含む。
【００４４】
前記装置は、セル密度に基づいてアクティビティ情報を決定する手段を備えている。
【００４５】
前記装置は、セルの相対的トラフィック量及びセルの干渉レベルの少なくとも一方に基づいてアクティビティ情報を決定する手段を備えている。
【００４６】
アクティビティ情報は、静的である。
【００４７】
前記装置は、スペクトルコントローラに備えられる。
【００４８】
アクティビティ情報は、動的である。
【００４９】
前記装置は、ベースステーションに備えられる。
【００５０】
第１ネットワークに割り当てられるスペクトルは、第３部分を含む。
【００５１】
第３部分は、第１部分と第２部分との間に存在する。
【００５２】
第４の観点において、第１ネットワークに関連した第１のアクティビティ情報を受信し；及び前記第１ネットワークと少なくとも１つの第２ネットワークとの間に共有されるスペクトルの第１部分に対して、前記アクティビティ情報に基づいて前記第２ネットワークが前記スペクトルの前記共有を変化させるべきかどうか決定するための手段を備えた装置が提供される。
【００５３】
前記装置は、第１ネットワークに関連した第２のアクティビティ情報を受信し；その第２のアクティビティ情報を第１のアクティビティ情報と比較し；及び前記第１ネットワークと少なくとも１つの第２ネットワークとの間に共有されるスペクトルの第１部分に対して、前記比較に基づいて前記第２ネットワークが前記スペクトルの前記共有を変化させるべきかどうか決定するための手段を備えている。
【００５４】
前記装置は、前記スペクトルの前記共有の変化のための要求を第１ネットワークに送信させる手段を備えている。
【００５５】
スペクトルの第１部分は、運営者間共有部分の少なくとも一部分である。
【００５６】
スペクトルの第１部分は、運営者内共有部分の少なくとも一部分である。
【００５７】
前記装置は、スペクトルコントローラ又は第１ネットワークのベースステーションからアクティビティ情報を受信する手段を備えている。
【００５８】
アクティビティ情報は、静的又は動的である。
【００５９】
前記装置は、第１ネットワークと第２ネットワークとの間に共有されるスペクトルの第２部分の選択を要求する手段を備えている。
【００６０】
前記装置は、スペクトルの第２部分を使用して停止する要求を受信する手段を備えている。
【００６１】
第２部分は、運営者内共有部分の少なくとも一部分を含む。
【００６２】
アクティビティ情報は、セル密度に依存する。
【００６３】
アクティビティ情報は、セルの相対的トラフィック量及びセルの干渉レベルの少なくとも一方に依存する。
【００６４】
第５の観点において、コンピュータで実行されたときに前記方法のステップを遂行するためのソフトウェアコード部分を含むコンピュータのためのコンピュータプログラム製品が提供される。
【００６５】
第６の観点において、少なくとも１つのプロセッサ、及びコンピュータプログラムコードを含む少なくとも１つのメモリを備えた装置であって、その少なくとも１つのメモリ及びコンピュータプログラムコードは、少なくとも１つのプロセッサとで、装置が、少なくとも、第１ネットワークに対して、その第１ネットワークに割り当てられるスペクトルの第１部分を少なくとも１つの第２ネットワークと共有使用するための第１のアクティビティ情報を決定し；及びそのアクティビティ情報を、複数の運営者の１つにより運営される前記第２ネットワークの少なくとも１つのベースステーションへ送信させる；ように構成された装置が提供される。
【００６６】
第１ネットワークは、複数の運営者のうちの第１運営者により運営される。
【００６７】
少なくとも１つの第２ネットワークは、複数の運営者のうちの第２運営者により運営される。
【００６８】
第１部分は、運営者間共有部分である。
【００６９】
第１ネットワークに割り当てられるスペクトルは、第２部分を含む。
【００７０】
第２部分は、運営者内共有部分である。
【００７１】
少なくとも１つのメモリ及びコンピュータプログラムコードは、少なくとも１つのプロセッサとで、装置が、少なくとも１つの第２ネットワークとの運営者内部分の共有使用を第２ネットワークからの要求に基づいて生じさせるように構成される。
【００７２】
割り当てられるスペクトルは、共一次スペクトル共有に使用される。
【００７３】
アクティビティ情報の決定は、１組のアクティビティ指示子からアクティビティ指示子を選択することを含む。
【００７４】
少なくとも１つのメモリ及びコンピュータプログラムコードは、少なくとも１つのプロセッサとで、装置が、セル密度に基づいてアクティビティ情報を決定するようにさせるよう構成される。
【００７５】
少なくとも１つのメモリ及びコンピュータプログラムコードは、少なくとも１つのプロセッサとで、装置が、セルの相対的トラフィック量及びセルの干渉レベルの少なくとも一方に基づいてアクティビティ情報を決定するようにさせるよう構成される。
【００７６】
アクティビティ情報は、静的である。
【００７７】
前記装置は、スペクトルコントローラに備えられる。
【００７８】
アクティビティ情報は、動的である。
【００７９】
前記装置は、ベースステーションに備えられる。
【００８０】
第１ネットワークに割り当てられるスペクトルは、第３部分を含む。
【００８１】
第３部分は、第１部分と第２部分との間に存在する。
【００８２】
第７の観点において、少なくとも１つのプロセッサ、及びコンピュータプログラムコードを含む少なくとも１つのメモリを備えた装置であって、その少なくとも１つのメモリ及びコンピュータプログラムコードは、少なくとも１つのプロセッサとで、装置が、少なくとも、第１ネットワークに関連した第１のアクティビティ情報を受信し；及び前記第１ネットワークと少なくとも１つの第２ネットワークとの間に共有されるスペクトルの第１部分に対して、前記アクティビティ情報に基づいて前記第２ネットワークが前記スペクトルの前記共有を変化させるべきかどうか決定する；ようにさせるよう構成された装置が提供される。
【００８３】
少なくとも１つのメモリ及びコンピュータプログラムコードは、少なくとも１つのプロセッサとで、装置が、第１ネットワークに関連した第２のアクティビティ情報を受信し；その第２のアクティビティ情報を第１のアクティビティ情報と比較し；及び前記第１ネットワークと少なくとも１つの第２ネットワークとの間に共有されるスペクトルの第１部分に対して、前記比較に基づいて前記第２ネットワークが前記スペクトルの前記共有を変化させるべきかどうか決定する；ようにさせるよう構成される。
【００８４】
少なくとも１つのメモリ及びコンピュータプログラムコードは、少なくとも１つのプロセッサとで、装置が、前記スペクトルの前記共有の変化のための要求を第１ネットワークに送信させるように構成される。
【００８５】
スペクトルの第１部分は、運営者間共有部分の少なくとも一部分である。
【００８６】
スペクトルの第１部分は、運営者内共有部分の少なくとも一部分である。
【００８７】
少なくとも１つのメモリ及びコンピュータプログラムコードは、少なくとも１つのプロセッサとで、装置が、スペクトルコントローラ又は第１ネットワークのベースステーションからアクティビティ情報を受信するようにさせるように構成される。
【００８８】
アクティビティ情報は、静的又は動的である。
【００８９】
少なくとも１つのメモリ及びコンピュータプログラムコードは、少なくとも１つのプロセッサとで、装置が、第１ネットワークと第２ネットワークとの間に共有されるスペクトルの第２部分の選択を要求するようにさせるように構成される。
【００９０】
少なくとも１つのメモリ及びコンピュータプログラムコードは、少なくとも１つのプロセッサとで、装置が、スペクトルの第２部分を使用して停止する要求を受信するようにさせるよう構成される。
【００９１】
第２部分は、運営者内共有部分の少なくとも一部分を含む。
【００９２】
アクティビティ情報は、セル密度に依存する。
【００９３】
アクティビティ情報は、セルの相対的トラフィック量及びセルの干渉レベルの少なくとも一方に依存する。
【００９４】
第８の観点において、コンピュータ読み取り可能なストレージ媒体で実施されるコンピュータプログラムであって、第１ネットワークに対して、その第１ネットワークに割り当てられるスペクトルの第１部分を少なくとも１つの第２ネットワークと共有使用するための第１のアクティビティ情報を決定し；及びそのアクティビティ情報を、複数の運営者の１つにより運営される前記第２ネットワークの少なくとも１つのベースステーションへ送信させる；ことを含むプロセスを実行するようにプロセスを制御するためのプログラムコードを備えたコンピュータプログラムが提供される。
【００９５】
第１ネットワークは、複数の運営者のうちの第１運営者により運営される。
【００９６】
少なくとも１つの第２ネットワークは、複数の運営者のうちの第２運営者により運営される。
【００９７】
第１部分は、運営者間共有部分である。
【００９８】
第１ネットワークに割り当てられるスペクトルは、第２部分を含む。
【００９９】
第２部分は、運営者内共有部分である。
【０１００】
前記方法は、少なくとも１つの第２ネットワークとの運営者内部分の共有使用を第２ネットワークからの要求に基づいて生じさせることを含む。
【０１０１】
割り当てられるスペクトルは、共一次スペクトル共有に使用される。
【０１０２】
アクティビティ情報の決定は、１組のアクティビティ指示子からアクティビティ指示子を選択することを含む。
【０１０３】
前記プロセスは、セル密度に基づきアクティビティ情報を決定することを含む。
【０１０４】
前記プロセスは、セルの相対的トラフィック量及びセルの干渉レベルの少なくとも一方に基づいてアクティビティ情報を決定することを含む。
【０１０５】
アクティビティ情報は、静的である。
【０１０６】
前記プロセスは、スペクトルコントローラにおいて実施される。
【０１０７】
アクティビティ情報は、動的である。
【０１０８】
前記プロセスは、ベースステーションにおいて実施される。
【０１０９】
第１ネットワークに割り当てられるスペクトルは、第３部分を含む。
【０１１０】
第３部分は、第１部分と第２部分との間に存在する。
【０１１１】
第９の観点において、コンピュータ読み取り可能なストレージ媒体で実施されるコンピュータプログラムであって、第１ネットワークに関連した第１のアクティビティ情報を受信し；及び前記第１ネットワークと少なくとも１つの第２ネットワークとの間に共有されるスペクトルの第１部分に対して、前記アクティビティ情報に基づいて前記第２ネットワークが前記スペクトルの前記共有を変化させるべきかどうか決定する；ことを含むプロセスを実行するようにプロセスを制御するためのプログラムコードを備えたコンピュータプログラムが提供される。
【０１１２】
前記プロセスは、第１ネットワークに関連した第２のアクティビティ情報を受信し；その第２のアクティビティ情報を第１のアクティビティ情報と比較し；及び前記第１ネットワークと少なくとも１つの第２ネットワークとの間に共有されるスペクトルの第１部分に対して、前記比較に基づいて前記第２ネットワークが前記スペクトルの前記共有を変化させるべきかどうか決定する；ことを含む。
【０１１３】
前記プロセスは、前記スペクトルの前記共有の変化のための要求を第１ネットワークに送信させることを含む。
【０１１４】
スペクトルの第１部分は、運営者間共有部分の少なくとも一部分である。
【０１１５】
スペクトルの第１部分は、運営者内共有部分の少なくとも一部分である。
【０１１６】
前記プロセスは、スペクトルコントローラ又は第１ネットワークのベースステーションからアクティビティ情報を受信することを含む。
【０１１７】
アクティビティ情報は、静的又は動的である。
【０１１８】
前記プロセスは、第１ネットワークと第２ネットワークとの間に共有されるスペクトルの第２部分の選択を要求することを含む。
【０１１９】
前記プロセスは、スペクトルの第２部分を使用して停止するための要求を受信することを含む。
【０１２０】
第２部分は、運営者内共有部分の少なくとも一部分を含む。
【０１２１】
アクティビティ情報は、セル密度に依存する。
【０１２２】
アクティビティ情報は、セルの相対的トラフィック量及びセルの干渉レベルの少なくとも一方に依存する。
【０１２３】
以上、多数の異なる実施形態について述べた。上述した実施形態の２つ以上を結合することにより更に別の実施形態が生じることが明らかである。
【０１２４】
以下、添付図面を参照して、幾つかの実施形態を一例として説明する。
【図面の簡単な説明】
【０１２５】
【図１】ベースステーション及び複数の通信装置を備えた規範的通信システムの概略図である。
【図２】規範的移動通信装置の概略図である。
【図３】アクティビティ指示子を決定する方法の一例のフローチャートである。
【図４】スペクトル共有方法の一例のフローチャートである。
【図５】スペクトル共有におけるアクティビティ指示子の使用例を示す。
【図６】規範的制御装置の概略図である。
【発明を実施するための形態】
【０１２６】
以下の実施形態は、例示に過ぎない。明細書の多数の位置に「一(an)」「１つの(one)」又は「幾つかの(some)」実施形態が出てくるが、これは、必ずしも、その各々が同じ実施形態であること、又は特徴が単一の実施形態だけに適用されることを意味していない。又、異なる実施形態の単一の特徴を結合して他の実施形態を形成してもよい。更に、「備える(comprising)」及び「含む(including)」という語は、ここに述べる実施形態を、ここに述べる特徴のみで構成するよう限定するものではなく、且つそのような実施形態は、ここに特に述べられていない特徴、構造、ユニット、モジュール、等も含むと理解されねばならない。
【０１２７】
幾つかの例を詳細に説明する前に、ここに述べる例の基礎となる技術を理解する上で助けとなるように、図１及び２を参照してワイヤレス通信システム及び移動通信装置の幾つかの一般的な原理を簡単に説明する。図に使用されたシステムアーキテクチャーは、これに限定されるものではなく、単なる一例とみなすべきである。それ故、全ての語及び表現は、広く解釈されねばならず、実施形態を例示するもので、限定するものではない。
【０１２８】
図１に示すようなワイヤレス通信システム１００では、移動通信装置又はユーザ装置（ＵＥ）１０２、１０３、１０５は、少なくとも１つのベースステーション又は同様のワイヤレス送信及び／又は受信ノード又はポイントを経てワイヤレスアクセスされる。ベースステーションは、典型的に、それ自身の動作及びベースステーションと通信する移動通信装置の管理を行えるように、少なくとも１つの適当なコントローラ装置によって制御される。コントローラ装置は、無線アクセスネットワーク（例えば、ワイヤレス通信システム１００）又はコアネットワーク（図示せず）に位置され、そして１つの中央装置として実施されてもよいし、又はその機能を多数の装置にわたって分散してもよい。コントローラ装置は、ベースステーションの一部分でよい（及び／又は無線ネットワークコントローラのような個別のエンティティにより形成されてもよい）。図１において、制御装置１０８及び１０９は、各マクロレベルベースステーション１０６及び１０７を制御するように示されている。ベースステーションの制御装置は、他の制御エンティティと相互接続される。制御装置には、典型的に、メモリ容量及び少なくとも１つのデータプロセッサが設けられる。制御装置及び機能は、複数の制御ユニット間に分散されてもよい。又、ネットワーク機能又はサービスの少なくとも幾つかは、クラウドサービス支援で実施されてもよい。
【０１２９】
しかしながら、ＬＴＥ又はＬＴＥ−アドバンストシステムは、ＲＮＣを伴わずに、いわゆる「フラット」アーキテクチャーを有すると考えられ、むしろ、（ｅ）ＮＢが、システムアーキテクチャー進化ゲートウェイ（ＳＡＥ−ＧＷ）及び移動管理エンティティ（ＭＭＥ）と通信し、これらエンティティはプールされてもよく、これは、複数のそれらノードが複数（１組）の（ｅ）ＮＢにサービスすることを意味する。各ＵＥは、一度に１つのＭＭＥ及び／又はＳ−ＧＷのみによってサービスされ、そして（ｅ）ＮＢは、現在の関連性を追跡する。ＳＡＥ−ＧＷは、ＬＴＥにおける「高レベル」ユーザ平面コアネットワーク要素であり、これは、Ｓ−ＧＷ及びＰ−ＧＷ（各々サービングゲートウェイ及びパケットデータネットワークゲートウェイ）より成る。Ｓ−ＧＷ及びＰ−ＧＷの機能は分離され、共同配置される必要はない。
【０１３０】
図１において、ベースステーション又はノード１０６及び１０７は、ゲートウェイ１１２を経て広い通信ネットワーク１１３に接続されるものとして示されている。別のネットワークに接続するための更に別のゲート機能が設けられてもよい。
【０１３１】
又、例えば、個別のゲートウェイ機能により、及び／又はマクロレベルステーションのコントローラを経て、小さなベースステーション１１６、１１８及び１２０がネットワーク１１３に接続されてもよい。これらベースステーション１１６、１１８及び１２０は、ピコ又はフェムトレベルのベースステーション、等でよい。例えば、ステーション１１６及び１１８は、ゲートウェイ１１１を経て接続され、一方、ステーション１２０は、コントローラ装置１０８を経て接続される。ある実施形態において、小さなステーションは、設けられなくてもよい。
【０１３２】
通信装置２００の概略部分断面図である図２を参照して、考えられる移動通信装置（ユーザ装置）を以下に詳細に説明する。そのような通信装置は、しばしば、ユーザ装置（ＵＥ）又はターミナルと称される。無線信号を送信及び受信できる装置によって適当な移動通信装置が形成される。非限定例として、移動電話のような移動ステーション（ＭＳ）又は移動装置或いは「スマートホン」として知られているもの、ワイヤレスインターフェイスカード又は他のワイヤレスインターフェイスファシリティ（例えば、ＵＳＢドングル）が設けられたコンピュータ、パーソナルデータアシスタント（ＰＤＡ）、タブレット、ファブレット、ラップトップ、及び／又はタッチスクリーンコンピュータ、ワイヤレス通信能力が設けられたワイヤレスモデムを使用する装置（アラーム又は測定装置、等）、或いはそれらの組み合わせ、等が含まれる。又、ユーザ装置は、ほぼ専用のアップリンクのみの装置、例えば、画像又はビデオクリップをネットワークにロードするカメラ又はビデオカメラでもよいことを理解されたい。
【０１３３】
移動通信装置は、例えば、ボイス、電子メール（ｅメール）、テキストメッセージ、マルチメディア、等の通信を搬送するためのデータを通信する。従って、ユーザには、それらの通信装置を経て多数のサービスがオファー及び提供される。それらサービスの非限定例は、二方又は多方コール、データ通信又はマルチメディアサービス、或いはインターネットのようなデータ通信ネットワークシステムへの単なるアクセスを含む。又、ユーザには、ブロードキャスト又はマルチキャストデータも与えられる。コンテンツの非限定例は、ダウンロード、テレビ及びラジオ番組、ビデオ、広告、種々の警報、及び他の情報を含む。
【０１３４】
移動装置２００は、エア又は無線インターフェイス２０７を経、適当な受信装置を経て、信号を受信し、そして適当な無線信号送信装置を経て信号を送信する。図２において、トランシーバ装置がブロック２０６で概略的に示されている。トランシーバ装置２０６は、例えば、無線部及びそれに関連したアンテナ構成体により形成される。アンテナ構成体は、移動装置の内部に配置されてもよいし又はその外部に配置されてもよい。
【０１３５】
移動装置には、少なくとも１つのデータ処理エンティティ２０１、少なくとも１つのメモリ２０２、及びアクセスシステムや他の通信装置へのアクセス及びそれとの通信の制御を含めて、遂行するべく指定されたタスクのソフトウェア及びハードウェア支援実行に使用される他の考えられるコンポーネント２０３も設けられる。データ処理、ストレージ及び他の当該制御装置が適当な回路板及び／又はチップセットに設けられる。この特徴は、参照番号２０４で示されている。ユーザは、キーパッド２０５、ボイスコマンド、タッチ感知スクリーン又はパッド、その組み合わせ、等の適当なユーザインターフェイスにより、移動装置の動作を制御する。ディスプレイ２０８、スピーカ及びマイクロホンも設けられる。更に、移動通信装置は、他の装置への、及び／又は例えばハンズフリー装置のような外部アクセサリを接続するための、適当なコネクタ（ワイヤード又はワイヤレス）を含む。
【０１３６】
通信装置１０２、１０４、１０５は、コード分割多重アクセス（ＣＤＭＡ）又はワイドバンドＣＤＭＡ（ＷＣＤＭＡ（登録商標））のような種々のアクセス技術に基づいて通信システムにアクセスすることができる。他の非限定例として、時分割多重アクセス（ＴＤＭＡ）、周波数分割多重アクセス（ＦＤＭＡ）、及びその種々のスキーム、例えば、インターリーブされた周波数分割多重アクセス（ＩＦＤＭＡ）、単一搬送波周波数分割多重アクセス（ＳＣ−ＦＤＭＡ）及び直交周波数分割多重アクセス（ＯＦＤＭＡ）、スペース分割多重アクセス（ＳＤＭＡ）、等々が含まれる。
【０１３７】
ワイヤレス通信システムの一例は、第３世代パートナーシッププロジェクト（３ＧＰＰ）によって規格化されたアーキテクチャーである。少なくとも３ＧＰＰベースの開発は、ユニバーサルモバイルテレコミュニケーションズシステム（ＵＭＴＳ）無線アクセステクノロジーの長期進化（ＬＴＥ）としばしば称されている。３ＧＰＰ仕様の種々の開発段階は、リリースと称される。ＬＴＥのより最近の開発は、ＬＴＥアドバンスト（ＬＴＥ−Ａ）としばしば称される。ＬＴＥは、進化型ユニバーサル地上無線アクセスネットワーク（Ｅ−ＵＴＲＡＮ）として知られた移動アーキテクチャーを使用する。そのようなシステムのベースステーションは、進化型又はエンハンストノードＢ（ｅＮＢ）として知られており、そして通信装置に向かうユーザ平面無線リンクコントロール／メディアアクセスコントロール／物理的レイヤプロトコル（ＲＬＣ／ＭＡＣ／ＰＨＹ）及び制御平面無線リソースコントロール（ＲＲＣ）プロトコルターミネーションのようなＥ−ＵＴＲＡＮ特徴を与える。無線アクセスシステムの他の例は、ワイヤレスローカルエリアネットワーク（ＷＬＡＮ）及び／又はＷｉＭａｘ（マイクロ波アクセスのための世界的運用性）のようなテクノロジーに基づくシステムのベースステーションにより形成されるものを含む。ベースステーションは、セル全体又は同様の無線サービスエリアのカバレージを与えることができる。
【０１３８】
セルは、異なるサービスエリアを与える。例えば、あるセルは、広いカバレージエリアを与え、一方、他のセルは、小さなカバレージエリアを与える。小さな無線カバレージエリアは、大きな無線カバレージエリア内に完全に又は部分的に位置される。例えば、ＬＴＥでは、比較的広いカバレージエリアを与えるノードは、マクロｅＮｏｄｅＢと称される。小さなセル又はローカル無線サービスエリアを与えるノードは、例えば、ホームｅＮＢ（ＨｅＮＢ）のようなフェムトノード、ピコｅＮｏｄｅＢ（ｐｉｃｏ−ｅＮＢ）のようなピコノード、及びリモート無線ヘッドを含む。
【０１３９】
本開示は、将来のリリースにおける潜在的特徴であるコグニティブ無線（ＣＲ）観点を伴う３ＧＰＰ  ＬＴＥアドバンスト又はビヨンド（第５世代、５Ｇ）のようなワイヤレス通信システムに関するものである。より詳細には、本開示は、コグニティブ無線テクノロジーにおける柔軟なスペクトル管理及び動的アクセススキームとして共一次スペクトル共有に関するものである。
【０１４０】
共一次スペクトル共有(co-primary spectrum sharing)とは、（同じ無線サービスの）２つ以上の一次ライセンス所持者が、自身の認可を受けたスペクトルの部分の共同使用に合意するスペクトルアクセスモデルを指す。厳密な使用条件（ポリシー）は、相互合意書に規定され、そしてそのモデルは、国の監督官による許可を受ける。
【０１４１】
同様のアクセスモデルは、監督官が単一の運営者に排他的にスペクトルの一部分を割り当てるものではなく、全体的に公平な条件のもとで且つある規定に従ってそれを使用するための義務を伴って多数の潜在的ユーザ（運営者）に共同で割り当てるというものである。そのようなモードは、例えば、２００４／５に固定ＢＷＡのための３．５ＧＨｚ帯域の割り当てに関してドイツの監査官により議論された。又、例えば、３６５０−３７００ＭＨｚ帯域における新規な「軽免許(light licensing)」制度のためのＦＣＣ２００７規定により同様の概念も生成され、これは、例えば、ＩＥＥＥ８０２．１１ｙ規格を生み出した。
【０１４２】
共一次スペクトル共有は、テレコミュニケーション条例、規格及び産業の重要人物の中でプロモーション段階におけるＡＳＡスペクトル共有概念から進歩したものである。共一次スペクトル共有は、同じ無線サービスを提供する運営者間により動的なスペクトル共有を与え、一方、ＡＳＡは、ある現職ユーザのスペクトル共有に対する目標である。
【０１４３】
異なる運営者間の整合が問題となる。広範囲で且つ包括的な整合は、運営者間の問題の複雑さを増大させる。運営者は、自身のネットワークに関する微妙な情報を知らせようとしない。従って、運営者間共有のための合理的なメカニズムが要望される。
【０１４４】
柔軟なスペクトル使用（ＦＳＵ）の関心は、異なるセル間の運営者内スペクトル共有に集中している。システム間スペクトル共有は、一次システム及び二次システムとして各々定義され且つ共有スペクトルを使用するための異なるプライオリティを有する２つの当該システムに見られる。コグニティブ無線に関する多数の研究は、全て、この話題に関連している。共一次スペクトル共有のための非繊細な／簡単な情報交換を経ての運営者間の整合は、深く調査されていない。
【０１４５】
共一次共有アクセスモードは、コグニティブ無線アクセス手順とあいまって、エンドユーザのための高いピークデータレート及び高い容量を可能にする。そのような共有スペクトル使用は、特に、小さなセルの展開に対して有利であり且つ適切であると思われる。というのは、それらは、大きなマクロセルよりも分離性が高いからである。
【０１４６】
一実施形態において、アクティビティ指示子に基づく共一次スペクトル共有メカニズムが提案される。
【０１４７】
一実施形態において、運営者ごとにある量のスペクトルが与えられるように運営者間で共有スペクトル帯域を分割することが提案される。スペクトルは、運営者間で等しい量に分割されてもよいし、そうでなくてもよい。スペクトルの分割は、免許規定に基づいてもよい。又、スペクトルの分割は、予め定義されてもよい。又、スペクトルの分割は、免許規定に基づいて変更されてもよい。
【０１４８】
各運営者のスペクトル帯域は、更に別の仕方で分割されてもよい。運営者に与えられるスペクトル帯域の分割は、予め定義されてもよい。又、スペクトルの分割は、免許規定に基づいて変更されてもよい。例えば、各運営者のスペクトル帯域は、２つの部分に分割され、即ち１つは、主として、運営者内共有のためであり（第２部分）、そして１つは、主として、運営者間共有のためである（第１部分）。それら部分のサイズは、免許規定に基づくもので、時間及び位置が変化する。運営者は、他の運営者が使用するために運営者内及び運営者間の両部分を寄贈し、他の運営者がその寄贈された部分を、それらがどの部分から寄贈されたかに基づいて使用するための異なる規定があってもよい。例えば、寄贈部分が運営者内部分からのものである場合には、寄贈側運営者がその寄贈部分を返還するための高いプライオリティを有しそして他の運営者はその寄贈部分を使用するためには明確に要求しなければならないが、寄贈部分が運営者間部分からのものである場合には、他の運営者は、提案した通りにアクティビティ指示子に基づく整合メカニズムに基づいて寄贈部分を自主的に使用することができる（即ち、寄贈側運営者からの許可なく）。
【０１４９】
別の例として、分割されるスペクトルは、３つの領域を含み、即ちその１つは、運営者内共有を解消し且つ運営者ネットワーク内の干渉軽減に使用することが主たる目標である運営者内ゾーン（第２部分）である。別のゾーンは、主として運営者間共有のためであって且つ運営者ネットワーク間の干渉を軽減する運営者間ゾーン（第１部分）である。運営者内ゾーンと運営者間ゾーンとの間には、運営者内共有最適化及び運営者間共有最適化の両方について同様のレベルをセルが有するのを許す中間ゾーン又は第３部分が設けられる。スペクトルの寄贈部分は、サブ部分、例えば、成分搬送波に分割され、これは、運営者が寄贈部分を使用するときに整合目的で順序付けすることができる。
【０１５０】
異なる運営者間でのスペクトルの寄贈部分の使用についての整合を容易にするために、ある形式のアクティビティ指示子がスペクトルコントローラによって指示されるか又は各運営者のマクロ又はローカルセルによりブロードキャストされることが提案される。
【０１５１】
図３に示すように、第１ネットワークに対して、第１ネットワークに割り当てられたスペクトルの第１部分を少なくとも１つの第２ネットワークとで共有使用するために第１のアクティビティ情報が決定される。そのアクティビティ情報は、前記第２ネットワークの少なくとも１つのベースステーションへ送信するようにされる。第２ネットワークは、第１ネットワークを運営する以外の運営者により運営される。
【０１５２】
アクティビティ情報は、アクティビティ指示子を含む。アクティビティ指示子の形式は、時刻及び／又は位置に基づいて予め定義されてもよい。アクティビティ指示子の形式に基づき、アクティビティ指示子についてどのように通知するか選択される。
【０１５３】
アクティビティ指示子の基準点（即ち、アクティビティに関連する位置又はエリア）は、運営者により予め定義されてもよく、又は基準点をどのように決定するかの規定が運営者により予め定義されてもよい。後者の選択肢は、基準点を動的に変更できるので、アクティビティ指示子の使用について高い融通性が与えられる。基準点情報は、アクティビティ指示子情報の一部分である。
【０１５４】
スペクトルの寄贈部分は、サブ部分、例えば、成分搬送波に分割され、これは、運営者が寄贈部分を使用するときに整合目的で順序付けすることができる。
【０１５５】
１つのアクティビティ指示子は、例えば、高、中間及び低の３つの状態として予め定義される小セル展開の密度を指示するためのメトリックであるセル密度レベルである。例えば、密度レベルは、１平方メータ当りのセルの数、エリア内の小セルの数とマクロセルの数の比、等により推測することができる。密度は、アクティブな小セルのみを考慮してもよいし、又は位置に依存してもよい。ある領域では、セル密度レベルは、小セルクラスターヘッド又は単なる小セルにより送信される。
【０１５６】
アクティビティ指示子は、セルの相対的なトラフィック量、及び／又は予め定義された期間の平均と比較した干渉レベルに基づく。アクティビティ指示子の好ましい定義に基づき、それは、静的でもよいし（例えば、セル密度だけが考慮される場合）、或いは動的に変更されてもよい（例えば、各セルのトラフィック量も考慮される場合）。静的なアクティビティ指示子の場合に、アクティビティ指示子をスペクトルコントローラに維持しそしてアクティビティ指示子を展開中必要なときにスペクトルコントローラにより当該ローカルエリアに指示するのが好ましい。アクティビティ指示子が動的である場合には、アクティビティ指示子がローカルセルによりブロードキャストされて、スペクトル整合をトリガーし、各運営者のネットワークにおけるアクティビティの変化に応答するのが好ましい。
【０１５７】
アクティビティ指示子は、異なる運営者間のスペクトルの運営者間寄贈部分の使用についての整合に使用されることが提案される。
【０１５８】
図４に示すように、異なるネットワーク間でスペクトル共有を整合するための方法は、例えば、第１ネットワークに関連した第１のアクティビティ情報を受信し、及び前記第１ネットワークと少なくとも１つの第２ネットワークとの間に共有されるスペクトルの第１部分に対して、前記アクティビティ情報に基づき前記第２ネットワークが前記スペクトルの前記共有を変化させるべきかどうか決定することを含む。ネットワークは、異なる運営者により運営される。スペクトルの第１部分は、運営者内部分又は運営者間部分である。
【０１５９】
図５を参照して以下に一例を述べる。運営者Ｂは、運営者Ａからアクティビティ指示子の形態のアクティビティ情報を受信し（スペクトルコントローラからの指示又はセルからのブロードキャストのいずれかを経て）、その指示は、次いで、運営者Ａの更新状態を判断するために運営者Ａからの以前の情報と比較される。運営者Ａのアクティビティ指示子が高から中間に変化した場合には、運営者Ｂは、運営者Ａからの寄贈リソースのサブ部分の特定量を予め定義された規則及びそれ自身のセルアクティビティ状態に基づいて再使用するように試み（例えば、運営者Ａによる高から中間への指示子の変化は、運営者Ｂ自身のセルのアクティビティがある数であるとき運営者Ｂにより再使用されるべきサブ部分のある数に関連している）、即ち図示されたように、共有部分の境界を移動する。予め定義された規定は、運営者Ｂによりどれほど多くのサブ部分が使用されるか運営者Ａに分かるようにする。運営者Ａのアクティビティ指示子が中間から高へ変化する場合には、運営者Ｂは、運営者Ａからのリソースの幾つか又は全部の使用を停止し、そして運営者Ｂのセルアクティビティ状態に基づきそれ自身の幾つかのリソースの使用を停止する。一対の運営者の場合に、アクティビティ指示子における２つの運営者の状態は、共有部分の周波数及び／又はサイズの共有部分境界を決定するが、リソース使用の決定は、各運営者において個々に行われる。即ち、一対の運営者の共有部分は、より大きく又はより小さくスライド調整可能である。共有部分の境界は、そのたびに運営者間で整合により合意される必要はない。というのは、共有スペクトル部分の境界は、運営者Ａ又は運営者Ｂにより行われたアクションの結果として互いに逆の運営者のアクティビティ状態に基づいて形成されるからである。
【０１６０】
スペクトルの運営者内部分からの寄贈に対して、他の運営者は、寄贈部分の使用を明確に要求しなければならない。寄贈側運営者は、寄贈部分を明示的又は暗示的に返還するための高いプライオリティを有する。例えば、寄贈側運営者が、例えば、中間から高へ又は低から中間への肯定的アクティビティ指示子変化を送信した場合は、他の運営者は、スペクトルの運営者内部分からの寄贈の使用を自動的に停止する。寄贈側運営者が、例えば、中間から低への否定的アクティビティ指示子変化の送信を選択すると、他の運営者は、運営者内スペクトルリソースの使用を要求することができる。運営者内部分からの寄贈に適用されるアクティビティ指示子変化のためのステップサイズは、予め定義されてもよい。運営者内部分からの寄贈に適用されるアクティビティ指示子変化のためのステップサイズは、運営者間部分からの寄贈に適用されるアクティビティ指示子のためのステップサイズとは独立してもよい。
【０１６１】
１つの例示的な実施形態として、スペクトルの割り当ては、最初は運営者内最適化で、その後は、運営者間最適化で、実施することができる。ある領域又は小さなエリアには、マクロセル、小さなセル又は特定エンティティであるクラスターヘッドが存在する。クラスターヘッドは、クラスター内の小さなセルを担当し、そしてクラスターに関連した情報を他のクラスターと交換する役割を果たす。
【０１６２】
各セルは、その運営者内知識に基づく成分搬送波占有を有する。クラスターヘッド又は各セルは、そのクラスター又は領域アクティビティ指示子を、例えば、ブロードキャスト的に別の運営者のセルに送信する。情報を受信した後、各セルは、肯定的変化を示す受け取ったアクティビティ指示子の数と否定的変化を示すアクティビティ指示子の数との間の比に基づいて判断を行い、そして少なくとも１つのステップサイズでそのリソース使用の限界を調整するように決定する。肯定的変化は、例えば、中間から高又は低から中間への変化を示すアクティビティ指示子を導出できることを意味するのに使用され、そして否定的変化は、例えば、高から中間又は中間から低への変化をアクティビティ情報から導出できることを意味する。
【０１６３】
運営者内共有使用のための１つの選択肢は、最大クリーク(clique)方法である。この方法では、各ノード（即ちセル）の最大クリークが最初に決定される。これは、ネットワークのトポロジーに基づいて定義される（即ち、ノード／セルが多数のノード／セルに接近している場合は、最大クリークは、より大きな数である）。一般的に、直接的なマッピングは、グラフにおける１つの小セルのための最大クリークがＭである場合に、セルが占有できる成分搬送波の最大数は、共有スペクトルプールにおける成分搬送波の合計数をＮとすれば、Ｎ／Ｍということになる。これは、ネットワークにおけるセル間の干渉を制御レベルに維持する。
【０１６４】
セル又は１つの運営者内の同じクラスターにおける全てのセルが「他の運営者」からアクティビティ指示子の肯定的変化を受け取り、「他の運営者」が以前より濃密な展開を有する場合に、セルは、その最大クリークを規定のステップサイズ、例えば、１だけ増加することを考え、セルの最大クリークは、Ｍ＋１に変化し、そしてセルは、Ｎ／（Ｍ＋１）成分搬送波を占有し、即ちセルは、成分搬送波をＮ／Ｍ−Ｎ／（Ｍ＋１）だけ解除する。
【０１６５】
以下、寄贈部分がサブ部分（例えば、成分搬送波）に分割されそして最大クリーク方法が使用される実施形態について述べる例を、更に詳細に説明する。
【０１６６】
例えば、スペクトルプールに６つの成分搬送波があると仮定すれば、運営者内知識で、セルは、運営者内トポロジーにおける最大クリークが２であるという推定に基づきスペクトルプールから３つの成分搬送波を占有することを自主的に決定する。ここで、グラフ理論に基づくアルゴリズムを運営者内トポロジー推定に適用し、例えば、予め定義された規定に基づき小さなセル間でグラフを設定し、次いで、小さなセルごとに最大クリークを得るようにする。最大クリークは、グラフ設定に基づき干渉状態を考慮してセルが占有できる最大リソースを決定する［１］。直接的なマッピングは、グラフにおける１つの小さなセルの最大クリークがＭである場合に、セルが占有できるＣＣの最大数は、スペクトルプールにおける成分搬送波の合計数をＮとすれば、Ｎ／Ｍとなるようなものである。セルが４つの肯定的セル密度変化指示及び１つのみの否定的セル密度変化指示を相手運営者の隣接セル／クラスターヘッドセルから受け取る場合には、セルは、既定の基準に基づいて判断を行って、運営者間トポロジーを考慮した後にその最大クリークを３と推定する。セルは、１つの成分搬送波を解除しそして２つの成分搬送波のみを占有し、他の運営者のセルのためにある程度の余裕を残す。
【０１６７】
別の例示的実施形態として、各運営者からのスペクトルコントローラは、既に占有された又は占有されるべきスペクトルプールの運営者部分を３つのゾーンに分割し、その１つは、運営者内共有を解消しそして運営者内の干渉軽減に使用することが主たる目標である運営者内ゾーンである。別のゾーンは、主として運営者間共有のためであって且つ２つの運営者間の干渉を軽減する運営者間ゾーンである。前記２つのゾーン間にある１つのゾーンは、運営者内共有最適化及び運営者間共有最適化の両方について同様のレベルをセルが有するのを許す中間ゾーンである。例えば、２つの運営者がスペクトルプール部分（共有部分）を徐々に利用すること、例えば、ＯＰAが左のＣＣから右のＣＣへスペクトルプールを使用し、一方、ＯＰBが右のＣＣから左のＣＣへスペクトルプールを使用することを前もって同意すると仮定すれば、２つの運営者の運営者間ゾーンは、周波数の重畳が起き易く、そして中間ゾーンは、周波数の重畳が起き難い。運営者内ゾーンを重畳させる確率は低いか、又はこのゾーンは、専用として定義される。
【０１６８】
どのゾーンがより使用し易いか各セルが判断するために規定のルールが必要となる。例えば、セルは、運営者内のその状態を、例えば、同じ運営者からの隣接セルの数、又は運営者内トポロジー知識からの最大クリークに基づいて判断する。他の運営者からアクティビティ指示を受け取ることができるので、セルは、運営者間のその状態のおおよその推定を、例えば、受け取った肯定的アクティビティ指示子変化指示の数と否定的アクティビティ指示子変化の数との比に基づいて得る。次いで、セルは、上述した考えられるメトリックから運営者内状態と運営者間状態とを比較し、そして運営者内状態及び運営者間状態に対する臨界レベルを判断する。
【０１６９】
例えば、最大クリーク方法が使用される場合には、セルは、運営者内の最大クリークを４と推定し、そして受け取った肯定的アクティビティ指示子変化指示の数と否定的アクティビティ指示子変化の数との比は、かなり低く、例えば、０．１となる。従って、セルは、運営者内共有が運営者間共有より非常に重要であると考える。次いで、セルは、運営者間ゾーン内のスペクトル共有に関与する。セルが、その最大クリークが運営者内で１であり且つ受け取った肯定的アクティビティ指示子変化の数と否定的アクティビティ指示子変化の数との比が５であると推定する場合には、セルは、運営者内ゾーンの中のスペクトル共有に関与する。そしておそらく、運営者間ゾーンの中の他のセルとのスペクトル共有の最適化では、運営者間状態だけを考慮すればよい。運営者内状態及び運営者間状態に対する臨界レベルは、おそらく同様であり、次いで、セルは、中間ゾーンに割り当てられる。
【０１７０】
収集されたメトリックに基づいてセルの運営者内状態及び運営者間状態に変化が生じ、セルは、別のゾーンへ移行するようにトリガーされる。
【０１７１】
前記実施形態は、柔軟で且つ簡単な運営を提供し、スペクトル割り当てポリシー及び／又は使用条件のようなファクタは、実施の前に運営者間で合意される。前記実施形態は、効果的に拡張可能であり、多数の運営者間で共有することができる。要求されるシグナリングオーバーヘッドは、大きなものでなく、且つ運営者のタイプに対して鋭敏なものでもない。
【０１７２】
上述したステップ／ポイント、シグナリングメッセージ及び関連機能は、絶対的な時間順序ではなく、そして幾つかのステップは、同時に行われてもよいし、又は前記とは異なる順序で行われてもよい。
【０１７３】
シグナリング、送信及び／又は受信とは、ここでは、データ送信及び／又は受信を準備し、シグナリング、送信及び／又は受信されるべきメッセージを準備し、送信及び／又は受信或いは物理的送信及び／又は受信を制御し、等をケースバイケースで行うことを意味することが明らかであろう。
【０１７４】
図３又は４のフローチャートの各ブロック、及びその組合せは、ハードウェア、ソフトウェア、ファームウェア、１つ以上のプロセッサ及び／又は回路のような種々の手段又はそれらの組合せによって実施されてもよいことを理解されたい。
【０１７５】
前記実施形態は、図６に示すように、制御装置、ユニット、モジュール又はエンティティにおいて又はそれらにより実施される。図６は、通信システムのための制御装置、ユニット、モジュール又はエンティティが、例えば、ベースステーション又は（ｅ）ノードＢ或いはサーバー又はホストのようなアクセスシステムのステーションに作動的に結合され及び／又はそれを制御するための一例を示す。ある実施形態では、ベースステーションは、個別の制御装置、ユニット又はモジュールを含む。他の実施形態では、制御装置は、無線ネットワークコントローラ、スペクトルコントローラ又はサーバーのような別のネットワーク要素である。ある実施形態では、各ベースステーションは、そのような制御装置（及び無線ネットワークコントローラに設けられる制御装置）を有する。制御装置１０９は、システムのサービスエリアにおいて通信に関する制御を与えるように構成される。制御装置１０９は、少なくとも１つのメモリ３０１、少なくとも１つのデータ処理ユニット３０２、３０３及び入力／出力インターフェイス３０４を備えている。インターフェイスを経て、制御装置は、ベースステーションの受信器及び送信器に作動的に結合される。受信器及び／又は送信器は、無線フロントエンド又はリモート無線ヘッドとして実施されてもよい。例えば、制御装置又はデータ処理ユニットは、適当なソフトウェアコードを実行して前記機能を与えるように構成される。又、スペクトル共有に関連した機能は、クラウドサービス支援の仕方で少なくとも一部分実施されてもよい。
【０１７６】
装置の一例は、第１ネットワークに対して、その第１ネットワークに割り当てられるスペクトルの第１部分を少なくとも１つの第２ネットワークと共有使用するための第１のアクティビティ情報を決定し、及びそのアクティビティ情報を前記第２ネットワークの少なくとも１つのベースステーションへ送信させるための手段３０２及び／又は３０３を備えている。この手段は、コンピュータプログラム、又はコンピュータプログラムの一部分である。
【０１７７】
装置の別の例は、第１ネットワークに関連した第１のアクティビティ情報を受信し、及び前記第１ネットワークと少なくとも１つの第２ネットワークとの間に共有されるスペクトルの第１部分に対して、前記アクティビティ情報に基づき前記第２ネットワークが前記スペクトルの前記共有を変化させるべきかどうか決定することを制御する手段３０２及び／又は３０３を備えている。この手段は、コンピュータプログラム、又はコンピュータプログラムの一部分である。
【０１７８】
装置の更に別の例は、前記実施形態の両方を、例えば、ソフトウェアモジュールとして実施するための手段を備えている。
【０１７９】
装置は、送信及び／又は受信に又はそのために使用される無線部又は無線ヘッドのような他のユニット又はモジュール、等を備えるか又はそれらに結合されることを理解されたい。装置は、１つのエンティティとして述べたが、１つ以上の物理的又は論理的エンティティにおいて異なるモジュール及びメモリが実施されてもよい。
【０１８０】
前記実施形態は、ＬＴＥに関連して述べたが、共一次スペクトル共有がサポートされる他の通信システムに同様の原理を適用できることに注意されたい。それ故、ワイヤレスネットワーク、テクノロジー及び規格のためのある規範的アーキテクチャーを参照して一例として幾つかの実施形態を述べたが、それら実施形態は、ここに図示して説明した以外の適当な形態の通信システムに適用されてもよい。
【０１８１】
又、以上に規範的実施形態を述べたが、本発明の範囲から逸脱せずに、ここに開示した解決策に対して多数の変更や修正がなされ得ることに注意されたい。
【０１８２】
一般的に、種々の実施形態は、ハードウェア又は特殊目的回路、ソフトウェア、ロジック、又はその組合せで実施される。本発明の幾つかの観点は、ハードウェアで実施され、一方、他の観点は、コントローラ、マイクロプロセッサ又は他のコンピューティング装置で実行されるファームウェア又はソフトウェアで実施されるが、本発明は、それに限定されない。又、本発明の種々の観点は、ブロック図、フローチャートとして、又は他の絵画的表現を使用して、図示して説明したが、それらブロック、装置、システム、技術、又はここに述べる方法は、非限定例として、ハードウェア、ソフトウェア、ファームウェア、特殊目的回路又はロジック、汎用ハードウェア又はコントローラ又は他のコンピューティング装置、或いはその組合せで実施されてもよいことを理解されたい。
【０１８３】
本発明の実施形態は、プロセッサエンティティのような移動装置のデータプロセッサで実行可能なコンピュータソフトウェア、ハードウェア、又はソフトウェア及びハードウェアの組合せによって実施される。ソフトウェアルーチン、アプレット及び／又はマクロを含めて、プログラム製品とも称されるコンピュータソフトウェア又はプログラムは、装置で読み取り可能なデータストレージ媒体に記憶され、そしてそれらは、特定のタスクを遂行するためのプログラムインストラクションを含む。コンピュータプログラム製品は、プログラム実行時に、前記実施形態を具現化するよう構成された１つ以上のコンピュータ実行可能なコンポーネントを含む。その１つ以上のコンピュータ実行可能なコンポーネントは、少なくとも１つのソフトウェアコード又はその部分である。ソフトウェアルーチン又はコンピュータプログラムコードは、前記実施形態を具現化する装置へダウンロードされる。
【０１８４】
前記実施形態は、コンピュータ読み取り可能なストレージ媒体で実施されるコンピュータプログラムであって、前記方法の実施形態を遂行するようにプロセッサを制御するよう構成されたコンピュータプログラムを提供する。コンピュータ読み取り可能なストレージ媒体は、非一時的媒体である。
【０１８５】
更に、この点に関して、図中の論理フローのブロックは、プログラムステップ又は相互接続されるロジック回路、ブロック及び機能、或いはそれらのプログラムステップ及びロジック回路、ブロック及び機能の組合せを表わす。ソフトウェアは、プロセッサ内で実施されるメモリチップ又はメモリブロックのような物理的媒体、ハードディスク又はフロッピーディスクのような磁気媒体、並びに例えばＤＶＤ及びそのデータ異形体であるＣＤのような光学媒体に記憶される。物理的媒体は、非一時的媒体である。
【０１８６】
メモリは、ローカル技術的環境に適した形式のもので、適当なデータ記憶技術、例えば、半導体ベースのメモリ装置、磁気メモリ装置及びシステム、光学的メモリ装置及びシステム、固定メモリ及び除去可能なメモリを使用して実施される。データプロセッサは、ローカル技術的環境に適した形式のもので、汎用コンピュータ、特殊目的コンピュータ、マイクロプロセッサ、デジタル信号プロセッサ（ＤＳＰ）、特定用途向け集積回路（ＡＳＩＣ）、ＦＰＧＡ、ゲートレベル回路、及びマルチコアプロセッサアーキテクチャーに基づくプロセッサ、の１つ以上を非限定例として含む。
【０１８７】
本発明の実施形態は、集積回路モジュールのような種々のコンポーネントにおいて具現化される。集積回路の設計は、全般的に、高度に自動化されたプロセスである。論理レベル設計を、半導体基板上にエッチング及び形成の準備のできた半導体回路設計へと変換するために複雑且つパワフルなソフトウェアツールを利用することができる。
【０１８８】
以上の記述は、本発明の規範的実施形態の完全且つ有益な説明を非限定例として与えるものである。しかしながら、当業者であれば、以上の記述に鑑み、添付図面及び特許請求の範囲と共に読んだときに、種々の変更や適応が明らかとなろう。しかしながら、本発明の教示のそのような変更及び同様の変更は、全て、特許請求の範囲に規定された本発明の範囲内に包含される。実際に、１つ以上の実施形態と上述した他のいずれかの実施形態との組合せよりなる更に別の実施形態も考えられる。
【符号の説明】
【０１８９】
１００：ワイヤレス通信システム
１０２、１０４、１０５：ユーザ装置（ＵＥ）
１０６、１０７：ベースステーション
１０８、１０９：制御装置
１１２：ゲートウェイ
１１３：通信ネットワーク
１１６、１１８、１２０：小さなベースステーション
２００：移動装置
２０１：データ処理エンティティ
２０２：メモリ
２０３：他のコンポーネント
２０５：キーパッド
２０６：トランシーバ装置
２０７：エアインターフェイス
２０８：ディスプレイ
３０１：メモリ
３０２、３０３：データ処理ユニット
３０４：入力／出力インターフェイス
【図１】
2017520972.tif 000003
【図２】
2017520972.tif 000004
【図３】
2017520972.tif 000005
【図４】
2017520972.tif 000006
【図５】
2017520972.tif 000007
【図６】
2017520972.tif 000008
【手続補正書】
【提出日】平成28年11月29日(2016.11.29)
【手続補正１】
【補正対象書類名】特許請求の範囲
【補正対象項目名】全文
【補正方法】変更
【補正の内容】
【特許請求の範囲】
【請求項１】
第１ネットワークに対して、その第１ネットワークに割り当てられるスペクトルの第１部分を少なくとも１つの第２ネットワークと共有使用するための第１のアクティビティ情報を決定し；及び
そのアクティビティ情報を前記第２ネットワークの少なくとも１つのベースステーションへ送信させる；
ことを含む方法。
【請求項２】
前記第１部分は、運営者間共有部分である、請求項１に記載の方法。
【請求項３】
前記第１ネットワークに割り当てられるスペクトルは、第２部分を含む、請求項１又は２に記載の方法。
【請求項４】
前記第２部分は、運営者内共有部分である、請求項３に記載の方法。
【請求項５】
前記少なくとも１つの第２ネットワークとの前記運営者内部分の共有使用を第２ネットワークからの要求に基づいて生じさせることを更に含む、請求項４に記載の方法。
【請求項６】
セル密度、セルの相対的トラフィック量及びセルの干渉レベルの少なくとも一方に基づいてアクティビティ情報を決定することを含む、請求項１から５のいずれか１つに記載の方法。
【請求項７】
第１ネットワークに関連した第１のアクティビティ情報を受信し；及び
前記第１ネットワークと少なくとも１つの第２ネットワークとの間に共有されるスペクトルの第１部分に対して、前記アクティビティ情報に基づき前記第２ネットワークが前記スペクトルの前記共有を変化させるべきかどうか決定する；
ことを含む方法。
【請求項８】
前記スペクトルの前記共有の変化のための要求を前記第１ネットワークに送信させることを更に含む、請求項７に記載の方法。
【請求項９】
前記スペクトルの第１部分は、運営者間共有部分の少なくとも一部分である、請求項７又は８に記載の方法。
【請求項１０】
第１ネットワークと第２ネットワークとの間に共有されるスペクトルの第２部分の選択を要求することを更に含む、請求項７から９のいずれかに記載の方法。
【請求項１１】
前記スペクトルの第２部分を使用して停止する要求を受信することを更に含む、請求項１０に記載の方法。
【請求項１２】
前記第２部分は、運営者内共有部分の少なくとも一部分を含む、請求項１０又は１１に記載の方法。
【請求項１３】
前記アクティビティ情報は、セル密度、セルの相対的トラフィック量及びセルの干渉レベルの少なくとも一方に依存する、請求項７から１２のいずれか１つに記載の方法。
【請求項１４】
少なくとも１つのプロセッサ、及びコンピュータプログラムコードを含む少なくとも１つのメモリを備えた装置において、その少なくとも１つのメモリ及びコンピュータプログラムコードは、少なくとも１つのプロセッサとで、装置が、少なくとも、
第１ネットワークに対して、その第１ネットワークに割り当てられるスペクトルの第１部分を少なくとも１つの第２ネットワークと共有使用するための第１のアクティビティ情報を決定し；及び
前記アクティビティ情報を、複数の運営者の１つにより運営される前記第２ネットワークの少なくとも１つのベースステーションへ送信させる；
ように構成された装置。
【請求項１５】
少なくとも１つのプロセッサ、及びコンピュータプログラムコードを含む少なくとも１つのメモリを備えた装置において、その少なくとも１つのメモリ及びコンピュータプログラムコードは、少なくとも１つのプロセッサとで、装置が、少なくとも、
第１ネットワークに関連した第１のアクティビティ情報を受信し；及び
前記第１ネットワークと少なくとも１つの第２ネットワークとの間に共有されるスペクトルの第１部分に対して、前記アクティビティ情報に基づいて前記第２ネットワークが前記スペクトルの前記共有を変化させるべきかどうか決定する；
ようにさせるよう構成された装置。
【請求項１６】
コンピュータ読み取り可能なストレージ媒体で実施されるコンピュータプログラムにおいて、
第１ネットワークに対して、その第１ネットワークに割り当てられるスペクトルの第１部分を少なくとも１つの第２ネットワークと共有使用するための第１のアクティビティ情報を決定し；及び
そのアクティビティ情報を、複数の運営者の１つにより運営される前記第２ネットワークの少なくとも１つのベースステーションへ送信させる；
ことを含むプロセスを実行するようにプロセスを制御するためのプログラムコードを備えたコンピュータプログラム。
【請求項１７】
コンピュータ読み取り可能なストレージ媒体で実施されるコンピュータプログラムにおいて、
第１ネットワークに関連した第１のアクティビティ情報を受信し；及び
前記第１ネットワークと少なくとも１つの第２ネットワークとの間に共有されるスペクトルの第１部分に対して、前記アクティビティ情報に基づいて前記第２ネットワークが前記スペクトルの前記共有を変化させるべきかどうか決定する；
ことを含むプロセスを実行するようにプロセスを制御するためのプログラムコードを備えたコンピュータプログラム。
【国際調査報告】
2017520972.tif 000009
2017520972.tif 000010
2017520972.tif 000011
2017520972.tif 000012
2017520972.tif 000013
2017520972.tif 000014